(57)【要約】【課題】  使用時に、環状蛍光ランプの温度上昇による光量低下を抑制する照明器具を提供する。【解決手段】  照明器具１は、環状の蛍光ランプ１０とそれを保持する保持具３０とから構成されている。保持具３は、蛍光ランプ１０の電極周辺を保持するアーム３４と、上記電極から最も離れた位置の近傍を保持するアーム３６とを有している。アーム３６の先端側には、蛍光ランプ１０を挟むようにして配置された上側部材３７ａおよび下側部材３７ｂが設けられており、それらの部材３７ａ、３７ｂは蛍光ランプ１０の半径方向外側を部分的に露出させる形状に形成されると共に、蛍光ランプ１０の外周面との間に放熱用の空隙２０を形成するように構成されている。【選択図】  図１
2006073242.tif 000002
【特許請求の範囲】
【請求項１】
環状蛍光ランプに駆動電圧を供給するための給電装置が内部に配置された本体部と、該本体部から外側に向かって延びる２本のアームと、前記本体部を外部のソケットに接続するための接続部とを有し、前記アームの一方が前記環状蛍光ランプに形成された電極周辺を保持するとともに、前記アームの他方が前記環状蛍光ランプの前記電極から最も離れた位置の近傍を保持するように構成された蛍光ランプ保持具において、
前記他方のアームの先端側には、前記環状蛍光ランプを挟むようにして配置された一対の部材が設けられ、前記一対の部材は、前記環状蛍光ランプの半径方向外側を部分的に露出させる形状に形成されると共に、前記環状蛍光ランプの外周面との間に空隙を形成するように配置されていることを特徴とする蛍光ランプ保持具。
【請求項２】
前記蛍光ランプ保持具は前記環状蛍光ランプを水平姿勢で保持するものであり、
前記一対の部材は、前記環状蛍光ランプの上部側に位置する上側部材および下部側に位置する下側部材であって、前記下側部材が前記環状蛍光ランプの下部を接触保持すると共に、前記上側部材と前記環状蛍光ランプの外周面との間に前記空隙が形成されている、請求項１に記載の蛍光ランプ保持具。
【請求項３】
前記接続部は電球用のソケットに接続可能な口金である、請求項１または２に記載の蛍光ランプ保持具。
【請求項４】
環状蛍光ランプを請求項１から３のいずれか１項に記載の蛍光ランプ保持具で保持した照明器具。
【発明の詳細な説明】
【技術分野】
【０００１】
本発明は、環状の蛍光ランプを保持する蛍光ランプ保持具、および照明器具に関する。
【背景技術】
【０００２】
従来、電球用のソケットに接続可能に構成されると共に、光源として環状の蛍光ランプを備えた照明器具が知られており（例えば特許文献１参照。）、この種の照明器具は、電球用のソケットに取り付け可能なことから「電球型蛍光ランプ」と呼ばれることもある。
【０００３】
図４は、特許文献１に示された照明器具の構成を示す斜視図である。図４に示すように、照明器具１０１は、環状の蛍光ランプ１１０とそれを保持する保持具１３０とで構成されたものである。照明器具１０１は、蛍光ランプ１１０を露出させた状態でソケットに接続されて使用されるものであり、その外観的な特徴から「ステアーランプ」と呼ばれることもある。
【０００４】
蛍光ランプ１１０は、水銀および希ガスが封入された管を曲成加工し、その両端に電極を設けたものである。また、保持具１３０は、蛍光ランプ１１０に駆動電圧を供給するための給電装置（不図示）を内部に有する塔状本体部１３５と、塔状本体部１３５から外側に向かって延びる２本のアーム１３４、１３６と、塔状本体部１３５の上部に設けられた口金１３１とを有している。
【０００５】
２本のアーム１３４、１３６は互いに反対側に向かって延びており、アーム１３４の先端側には、蛍光ランプ１１０の電極との電気的接続を行うための電極保持部１３３が形成され、また、他方のアーム１３６の先端側には、蛍光ランプ１１０を保持する保持部１３７が形成されている。この保持部１３７は、蛍光ランプ１１０の半径方向外側を部分的に露出させるように構成されている。
【０００６】
このように構成された照明器具１０１では、この種の一般的な照明器具と同様、給電装置（不図示）からの給電により蛍光ランプ１１０の両電極間に電圧が印加され、その結果生じた蛍光ランプ１１０内での放電現象によって内部の水銀が励起される。そして、励起された水銀から紫外線が発せられ、紫外線は蛍光ランプ１１０内面の蛍光体層を通過する際に可視光に変換され、この可視光が外部へと照射される。
【特許文献１】特開昭５８−１９６４号公報
【発明の開示】
【発明が解決しようとする課題】
【０００７】
ところで、一般に蛍光ランプは、例えば周囲温度の上昇により蛍光ランプの温度が高温となると発光効率が低下するという性質を有している。これは蛍光ランプの光量が、ランプ内部で気化している水銀の量によって左右されるためである。この問題に対して、蛍光ランプの最冷部温度を所望にコントロールすることにより、内部の水銀蒸気圧を適正な値に保ち発光効率の低下を抑制することが知られている。
【０００８】
ここで、特許文献１の照明器具１０１について再度検討すると、保持部１３７は蛍光ランプ１１０の外周面に略接触するように構成されており、このように接触保持する構成では、保持部１３７の内側面近傍に熱がこもることとなる。また、同文献には、保持部１３７の内側面にリブを設けることが記載されているものの、このリブは、所望の形状から外れて変形した蛍光ランプ１１０を保持する際に、蛍光ランプ１１０に当接して弾性変形することによってランプの変形量を吸収するものである。したがって、リブが設けられているとはいえ、蛍光ランプ１１０の変形が大きい場合にはリブも大きく変形することとなり、蛍光ランプ１１０と保持部１３７との間に所定の隙間が確保されないこととなる。他方、保持部１３７の内側面近傍に熱がこもることを抑えるためには蛍光ランプ１１０との間に放熱用の空隙が確保されていることが望ましく、このことから、特許文献１の構成においても放熱対策に関して改善の余地は残されている。
【０００９】
本発明は上記のような問題点に鑑みてなされたものであり、その目的は、使用時に、環状蛍光ランプの温度上昇による光量低下を抑制する蛍光ランプ保持具および照明器具を提供することにある。
【課題を解決するための手段】
【００１０】
上記目的を達成するため、本発明の環状蛍光ランプ保持具は、環状蛍光ランプに駆動電圧を供給するための給電装置が内部に配置された本体部と、該本体部から外側に向かって延びる２本のアームと、前記本体部を外部のソケットに接続するための接続部とを有し、前記アームの一方が前記環状蛍光ランプに形成された電極周辺を保持するとともに、前記アームの他方が前記環状蛍光ランプの前記電極から最も離れた位置の近傍を保持するように構成された蛍光ランプ保持具において、前記他方のアームの先端側には、前記環状蛍光ランプを挟むようにして配置された一対の部材が設けられ、前記一対の部材は、前記環状蛍光ランプの半径方向外側を部分的に露出させる形状に形成されると共に、前記環状蛍光ランプの外周面との間に空隙を形成するように配置されていることを特徴とする。
【００１１】
本発明の蛍光ランプ保持具によれば、環状蛍光ランプの電極から離れた側を保持する一対の部材が、環状蛍光ランプの外周面との間に空隙を形成するように構成されているため環状蛍光ランプの熱はこの空隙を介して放熱され、その結果、一対の部材の内側面近傍に熱がこもることが抑制される。
【発明の効果】
【００１２】
本発明によれば、上述したような空隙の放熱作用により環状蛍光ランプの温度上昇を抑制し、その結果、蛍光ランプの温度上昇による光量低下を抑えることができる。
【発明を実施するための最良の形態】
【００１３】
以下、本発明の実施の形態について図面を参照して説明する。図１は、本発明の一実施形態による照明器具を示しており、図１（ａ）は照明器具の一部を切り欠いて示す側面図であり、図１（ｂ）は縦断面図である。また、図２は、蛍光ランプを単体にて示す平面図であり、図３は、図１の照明器具を上面側からみた平面図である。
【００１４】
本実施形態の照明器具１は、環状の蛍光ランプ１０とそれを保持する保持具３０とで構成された電球型蛍光ランプであり、特に保持部３７の周辺構造に特徴を有するものである。なお、その他の構造部についは、図４に示した照明器具１０１とほぼ同様に構成されているため、それらについての詳細な説明は一部省略する。
【００１５】
保持具３０は、例えば樹脂材料からなり、本体部３５から互いに反対側に延びる２本のアーム３４、３６を有し、アーム３４の先端側の電極保持部３３とアーム３６の先端側の保持部３７とで蛍光ランプ１０を保持する構成となっている。本体部３５の上部には、従来構成と同様、電球のソケットに接続可能な口金３１が設けられている。また、本体部３５の内部には、図示しない給電装置が配置されており、給電装置からの電気配線はアーム３４の内部を通って電極保持部３３内で蛍光ランプ１０の電極１１（図２参照）と電気的に接続されている。なお、電極保持部３３は、図１（ｂ）の断面図に示すように、蛍光ランプ１０を完全に囲むような形状に形成されている。
【００１６】
次に照明器具１の特徴部である保持部３７の周辺構造について説明する。
【００１７】
図３に示すように、保持部３７は従来構成と同じく、本体部３５を間において電極保持部３３の反対側に位置するように設定されている。言い換えれば、保持部３７は、蛍光ランプ１０の電極１１から最も離れた位置の近傍を保持するように構成されている。通常、蛍光ランプ１０においては電極１１の近傍が最も高温となり、逆に、電極から離れた位置は電極１１近傍の熱の影響が少ない低温部となっている。
【００１８】
保持部３７は、より具体的には図１（ｂ）に示すように、いずれもアーム３６の部材と一体的に形成された上側部材３７ａおよび下側部材３７ｂを有している。上側部材３７ａおよび下側部材３７ｂはいずれも、蛍光ランプ１０の外周面に対応した曲面形状となっており、また、蛍光ランプ１０の半径方向外側を部分的に露出させるような形状に形成されている。そして、下側部材３７ｂが蛍光ランプ１０の下部を接触保持すると共に、上側部材３７ａの内側面と蛍光ランプ１０の外周面との間には空隙２０が形成されるように構成されている。これにより、蛍光ランプ１０は、この空隙２０に面する部位が実質的に露出した状態となっている。このように空隙２０を蛍光ランプ１０の上方に設定することは、照明器具１が図１に示すような使用時姿勢にて使用される場合に蛍光ランプ１０からの熱を上方に向かって効率的に逃がすことができる点で好ましい。
【００１９】
なお、本実施形態では上述の通り空隙２０が上方に設定されたものであるが、本発明はこれに限られるものではなく、例えば下側部材３７ｂと蛍光ランプ１０の外周面との間に空隙が形成されるものであってもよい。
【００２０】
アーム３６の内部において下側部材３７ｂのやや内側（図示左側）には、リブ３７ｃが、アーム３６の下部側の部材から上方に向かってに延びるように形成されている。リブ３７ｃの高さはアーム３６の上部側の部材まで達しない程度とされており、これにより、リブ３７ｃの上端とアーム３６の上部側の部材の内側面との間に隙間が設けられている。
【００２１】
以上のように構成された本実施形態の照明器具１によれば、保持部３７において、蛍光ランプ１０の外周面と上側部材３７ａの内側面との間に空隙２０が形成されているため、使用時に発熱した蛍光ランプ１０の熱を空隙２０を介して逃がすことができる。したがって、図４に示した従来の構成と比較して、保持部３７における放熱特性が改善され、温度上昇による蛍光ランプ１０の光量低下がより抑えられたものとなる。また、以上の説明では保持具３０の内部構造については特に詳述しなかったが、必要に応じて、保持部３０内の給電装置が空隙２０およびリブ３７ｃ上の上記隙間を介して外気と接触する構成とすれば、給電装置の熱を空隙２０等を介して外部に逃がすことも可能となる。
【００２２】
なお、照明器具１として、電球のソケットに接続可能な口金３１を備えた電球型蛍光ランプのタイプについて上述したが、本発明はそれに限られるものではない。また、保持部３７の幅寸法（図３における横方向の寸法）は蛍光ランプ１０を安定的に保持できる範囲で変更可能である。また、上側部材３７ａの内側面に、蛍光ランプ１０の保持を安定化させるためのリブを設けることも可能である。この場合、リブは弾性変形することなく空隙２０を確実に形成できるものであることが好ましく、また、空隙２０による放熱作用を著しく低下させないような形状とすることがより好ましい。例えばリブ形状は、蛍光ランプ１０の外周面に沿って蛍光ランプ１０の半径方向に延びるようなものであってもよい。
【図面の簡単な説明】
【００２３】
【図１】本発明の一実施形態による照明器具を示しており、図１（ａ）は照明器具の一部を切り欠いて示す側面図であり、図１（ｂ）は縦断面図である。
【図２】蛍光ランプを単体にて示す平面図である。
【図３】図１の照明器具を上面側からみた平面図である。
【図４】従来の照明器具の構成を示す斜視図である
【符号の説明】
【００２４】
１  照明器具
１０  蛍光ランプ
１１  電極
２０  空隙
３０  保持具
３１  口金
３３  電極保持部
３４、３６  アーム
３５  本体部
３７  保持部
３７ａ  上側部材
３７ｂ  下側部材
３７ｃ  リブ
【図１】
2006073242.tif 000003
【図２】
2006073242.tif 000004
【図３】
2006073242.tif 000005
【図４】
2006073242.tif 000006